(57)【要約】      （修正有）【課題】排便処理を簡単に行うため、使用者の排便が先端部位の先端開口部を通過して肛門外に位置する末端部位の大きく伸びる袋状の中に徘便を収めることができる特殊ゴム袋を提供する。【解決手段】薄く伸縮性のある筒状１と大きく伸びる袋状２をビート加工と空気もしくは水を閉じ込め加工とゴム輪状（先端開口部６および末端開口部巻き上げ１ｍｍから最大５ｍｍまで）とゴム輪状の先端開口部６の中にバネやピアノ線の輪や自在に変形できる金属性の輪や鋼鉄線の輪を含んだ先端開口部６と先端開口部６を折り返した中にバネやピアノ線の輪や自在に変形できる金属性の輪や鋼鉄線の輪を包み込んだ先端開口部６と大きく伸びる袋状２には先端開口部と筒状１と大きく伸びる袋状２は一体型と固定できる接続部により分離型があり、より良い介護、より良い看護、安心、安全に使用できる特殊ゴム袋である。【選択図】図１
2009061234.tif 000002
【特許請求の範囲】
【請求項１】
排便処理を簡単に行うため、従来のような直腸内でバルーンを膨らませるのではなく、薄く伸縮性のある筒状の先端部位の先端開口部をビート加工（先端開口部巻き上げ直径１ｍｍから最大５ｍｍまで）形成し、指先で筒状の先端部位の先端開口部をつまんで肛門外より直腸内に押し入れ、筒状の先端部位の先端開口部が直腸内で拡がり固定でき、引き抜く時は指先を筒状の先端部位の先端開口部に引っ掛け引き出せ、指先により簡単に固定および引き出しでき、筒状の末端部位は排便を収められる大きく伸びる袋状になっていて、使用者の排便が筒状の先端部位の先端開口部を通過して筒状の末端部位の大きく伸びる袋状の中に徘便を収めることができる特殊ゴム袋である。
【請求項２】
排便処理を簡単に行うため、従来のような直腸内でバルーンを膨らませるのではなく、薄く伸縮性のある筒状の先端部位の先端開口部を空気もしくは水を閉じ込め加工（先端開口部閉じ込め直径１ｍｍから最大５ｍｍまで）形成し、指先で筒状の先端部位の先端開口部をつまんで肛門外より直腸内に押し入れ、筒状の先端部位の先端開口部が直腸内で拡がり固定でき、引き抜く時は指先を筒状の先端部位の先端開口部に引っ掛け引き出せ、指先により簡単に固定および引き出しでき、筒状の末端部位は排便を収められる大きく伸びる袋状になっていて、使用者の排便が筒状の先端部位の先端開口部を通過して筒状の末端部位の大きく伸びる袋状の中に徘便を収めることができる特殊ゴム袋である。
【請求項３】
排便処理を簡単に行うため、従来のような直腸内でバルーンを膨らませるのではなく、薄く伸縮性のある筒状の末端部位の末端開口部をビート加工（末端開口部巻き上げ直径１ｍｍから最大５ｍｍまで）形成した状態とそうでない状態とを形成し、筒状の末端部位の大きく伸びる袋状の先端部位の先端開口部をビート加工（先端開口部巻き上げ直径１ｍｍから最大５ｍｍまで）形成した状態とそうでない状態とを形成し、薄く伸縮性のある筒状と大きく伸びる袋状を分離できるようにし、筒状の末端部位の末端開口部と大きく伸びる袋状の先端部位の先端開口部を接着および粘着により重ねて固定できるようにし、嵌めこみ、捩じ込み、捲き込みによっても固定できるようにし、使用者の排便が筒状の先端部位の先端開口部を通過して末端部位の末端開口部を通り大きく伸びる袋状の先端部位の先端開口部を通り袋状の中に徘便を収め筒状の末端部位の末端開口部から大きく伸びる袋状の部分だけを外すことができる請求項１と請求項２に記載の特殊ゴム袋である。
【請求項４】
排便処理を簡単に行うため、従来のような直腸内でバルーンを膨らませるのではなく、薄く伸縮性のある筒状の末端部位の末端開口部を空気もしくは水を閉じ込め加工（末端開口部閉じ込め直径１ｍｍから最大５ｍｍまで）形成した状態とそうでない状態とを形成し、筒状の末端部位の大きく伸びる袋状の先端部位の先端開口部を空気もしくは水を閉じ込め加工（先端開口部閉じ込め直径１ｍｍから最大５ｍｍまで）形成した状態とそうでない状態とを形成し、薄く伸縮性のある筒状と大きく伸びる袋状を分離できるようにし、筒状の末端部位の末端開口部と大きく伸びる袋状の先端部位の先端開口部を接着および粘着により重ねて固定できるようにし、嵌めこみ、捩じ込み、捲き込みによっても固定できるようにし、使用者の排便が筒状の先端部位の先端開口部を通過して末端部位の末端開口部を通り大きく伸びる袋状の先端部位の先端開口部を通り袋状の中に徘便を収め筒状の末端部位の末端開口部から大きく伸びる袋状の部分だけを外すことができる請求項１と請求項２に記載の特殊ゴム袋である。
【請求項５】
排便処理を簡単に行うため、従来のような直腸内でバルーンを膨らませるのではなく、薄く伸縮性のある筒状の先端部位の先端開口部を輪ゴムのように自在に変形できるゴム輪状（先端開口部直径１ｍｍから最大５ｍｍまで）の先端部位の先端開口部を形成し、指先でゴム輪状（先端開口部直径１ｍｍから最大５ｍｍまで）の先端部位の先端開口部をつまんで肛門外より直腸内に押し入れ、指先を離すことでゴム輪状（先端開口部直径１ｍｍから最大５ｍｍまで）の先端部位の先端開口部が拡がり直腸内に固定でき、引き抜く時はゴム輪状（先端開口部直径１ｍｍから最大５ｍｍまで）の先端部位の先端開口部に指先を引っ掛け直腸内より肛門を通り引き抜くことができ、筒状の末端部位は徘便が収められる大きく伸びる袋状になっていて、使用者の排便が筒状の先端部位の先端開口部を通過して筒状の末端部位を通り大きく伸びる袋状の中に徘便を収めることができる特殊ゴム袋である。
【請求項６】
排便処理を簡単に行うため、従来のようなバルーンを膨らませるのではなく、薄く伸縮性のある筒状の先端部位の先端開口部を輪ゴムのように自在に変形できるゴム輪状（先端開口部直径１ｍｍから最大５ｍｍまで）の先端部位の先端開口部を形成したの中に、バネやピアノ線の輪や自在に変形できる金属性の輪や鋼鉄線の輪を含んだ先端部位の先端開口部を形成し、指先でゴム輪状（先端開口部直径１ｍｍから最大５ｍｍまで）の先端部位の先端開口部を形成した中に、バネやピアノ線の輪や自在に変形できる金属性の輪や鋼鉄線の輪を含んだ先端部位の先端開口部をつまんで肛門外より直腸内に押し入れ、指先を離すことでゴム輪状（先端開口部直径１ｍｍから最大５ｍｍまで）の先端部位の先端開口部を形成した中に、バネやピアノ線の輪や自在に変形できる金属性の輪や鋼鉄線の輪を含んだ先端部位の先端開口部が拡がり直腸内に固定でき、引き抜く時はゴム輪状（先端開口部直径１ｍｍから最大５ｍｍまで）の先端部位の先端開口部を形成した中に、バネやピアノ線の輪や自在に変形できる金属性の輪や鋼鉄線の輪を含んだ先端部位の先端開口部に指先を引っ掛け先端部位の先端開口部を直腸内より肛門を通り引き抜くことができ、筒状の末端部位の末端開口部は徘便が収められる大きく伸びる袋状になっていて、使用者の排便が筒状の先端部位の先端開口部を通過して筒状の末端部位を通り大きく伸びる袋状の中に徘便を収めることができる特殊ゴム袋である。
【請求項７】
排便処理を簡単に行うため、従来のようなバルーンを膨らませるのではなく、薄く伸縮性のある筒状の先端部位の先端開口部を折り返した（先端開口部折り返し直径５ｍｍから最大１０ｍｍまで）中にバネやピアノ線の輪や自在に変形できる金属性の輪や鋼鉄線の輪を包み込んだ先端部位の先端開口部を形成し、折り返した（先端開口部折り返し直径５ｍｍから最大１０ｍｍまで）中にバネやピアノ線の輪や自在に変形できる金属性の輪や鋼鉄線の輪を包み込んだ先端部位の先端開口部をつまんで肛門外より直腸内に押し入れ、指先を離すと折り返した（先端開口部折り返し直径５ｍｍから最大１０ｍｍまで）中にバネやピアノ線の輪や自在に変形できる金属性の輪や鋼鉄線の輪を包み込んだ先端部位の先端開口部が拡がり先端部位の先端開口部が直腸内に固定でき、引き抜く時は折り返した（先端開口部折り返し直径５ｍｍから最大１０ｍｍまで）中にバネやピアノ線の輪や自在に変形できる金属性の輪や鋼鉄線の輪を包み込んだ先端部位の先端開口部に指先を引っ掛先端部位の先端開口部を直腸内より肛門を通り引き出すことができ、肛門の外側の筒状の末端部位の末端開口部は大きく伸びる袋状になっていて、徘便が筒状の先端部位の先端開口部を通過して筒状の末端部位の末端開口部を通り大きく伸びる袋状に徘便を収めることができる特殊ゴム袋である。
【請求項８】
排便処理を簡単に行うため、従来のようなバルーンを膨らませるのではなく、薄く伸縮性のある筒状と大きく伸びる袋状が別々になっていて、筒状の先端部位の先端開口部と筒状の末端部位の末端開口部をゴム輪状（先端開口部と末端開口部直径１ｍｍから最大５ｍｍまで）に形成し、筒状と別々になっている大きく伸びる袋状の先端部位の先端開口部を筒状の末端部位の末端開口部のゴム輪状（末端開口部直径１ｍｍから最大５ｍｍまで）の末端部位の末端開口部に接着および粘着により重ねて固定できるようにし、嵌めこみ、捩じ込み、捲き込みによっても固定できるようにし、徘便が筒状の先端部位の先端開口部を通過して筒状の末端部位の末端開口部に固定した大きく伸びる袋状に収められ、筒状の末端部位の末端開口部から大きく伸びる袋状の部分だけを外すことができる請求項５に記載の特殊ゴム袋である。
【請求項９】
排便処理を簡単に行うため、従来のようなバルーンを膨らませるのではなく、薄く伸縮性のある筒状と大きく伸びる袋状が別々になっていて、筒状の先端部位の先端開口部と筒状の末端部位の末端開口部をゴム輪状（先端開口部と末端開口部直径１ｍｍから最大５ｍｍまで）に形成した中に、バネやピアノ線の輪や自在に変形できる金属性の輪や鋼鉄線の輪を含んだ先端部位の先端開口部と末端部位の末端開口部を形成し、常時ふたつ折りになり閉まっている筒状の末端部位の末端開口部に大きく伸びる袋状の先端部位の先端開口部を接着および粘着により重ねて固定できるようにし、嵌めこみ、捩じ込み、捲き込みによっても固定できるようにし、薄く伸縮性のある筒状の末端部位の末端開口部から大きく伸びる袋状の部分だけを外すことができる請求項６に記載の特殊ゴム袋である。
【請求項１０】
排便処理を簡単に行うため、従来のようなバルーンを膨らませるのではなく、薄く伸縮性のある筒状と大きく伸びる袋状が別々になっていて、薄く伸縮性のある筒状の先端部位の先端開口部と末端部位の末端開口部を折り返した（先端開口部と末端開口部折り返し直径５ｍｍから最大１０ｍｍまで）中にバネやピアノ線の輪や自在に変形できる金属性の輪や鋼鉄線の輪を包み込んだ末端部位の末端開口部を形成し、常時ふたつ折りになり閉まっている筒状の末端部位の末端開口部に大きく伸びる袋状の先端部位の先端開口部を接着および粘着により重ねて固定できるようにし、嵌めこみ、捩じ込み、捲き込みによっても固定できるようにし、薄く伸縮性のある筒状の末端部位の末端開口部から大きく伸びる袋状の部分だけを外すことができる請求項７に記載の特殊ゴム袋である。
【請求項１１】
排便処理を簡単に行うため、従来のような直腸内でバルーンを膨らませるのではなく、薄く伸縮性のある筒状の先端開口部下端より長さ３ｃｍから最大５ｃｍ部分までに対して、筒状の内径を９．９８ｍｍから最大２９．９８ｍｍまでと、外径１０ｍｍから最大３０ｍｍまでや縦ジワおよび横ジワを付けることで水便にも対応できる請求項１から請求項１０に記載の特殊ゴム袋である。
【請求項１２】
排便処理を簡単に行うため、従来のようなバルーンを膨らませるのではなく、薄く伸縮性のある筒状の大きさおよび長さを変更することにより人工肛門の人、乳幼児、女性の生理、ペットまで使用できるようにする請求項１から請求項１１に記載の特殊ゴム袋である。
【発明の詳細な説明】
【技術分野】
【０００１】  排便処理を簡単に行うため、従来のようなバルーンを膨らませるのではなく、薄く伸縮性のある筒状と大きく伸びる袋状になっている状態と分離した状態とを備え持ち、薄く伸縮性のある筒状の先端部位の先端開口部（先端開口部直径１ｍｍから最大５ｍｍまで）を形成し、指先を使い肛門外から押し入れおよび引き出しにより簡単に固定および引き出しできる特殊ゴム袋に関する。
【背景技術】
【０００２】  高齢者人口の増大による高齢化社会が進むに従い、寝たきり老人が益々増加の傾向にある。また、病気や事故により寝たきり状態に陥った人々にとって、排便の処理は使い捨ての紙おむつの使用が主流である。【０００３】  排便処理は老人・患者にとって肉体的、精神的に著しい苦痛を与えるとともに、長時間に亘る排便をしたままの状態が継続することになり老人・患者の排便がおむつ全体に拡散し、老人・患者の臀部にも広範囲に付着する。また、不快感をもたらすとともに、皮膚は被れやすく、冷え、炎症の苦痛を与える結果となっている。【０００４】  なお、介護者にとっても長時間に亘る排便作業に携わらねばならず、排便の拭き取り作業は日常介護上、厄介である。しかも糞便の臭気に耐えねばならない嫌悪的な作業を余儀なくされる。また、従来の使い捨ておむつは肛門周囲を含め皮膚に密着する構造になっているため、肛門より排出された徘便は肛門を中心として広範囲な皮膚に付着したおむつの取り替えや排便を尻から拭き取る間に便臭が部屋中に充満することが、老人・患者はもとより介護者や同室者に不快感を与えている。【０００５】  老人・患者の排便処理として、便失禁者の場合は殆どが紙おむつ、布おむつで処理され、または差し込み便器、排便のできる特殊なベッドで処理されている。また、臀部にパウチを貼り付け、おむつの代わりにパウチで処理する方法が用いられている。更に、排便処理は臭いが強く、汚れが酷く、手間がかかる作業で介護・看護する側、される側に相当なストレスが生じ双方に心身的ダメージを与え、コミュニケーションに支障をきたすことになる。【０００６】  老人・患者を介護・看護する病院や老人施設のように多数の寝たきりの老人がいる所では、おむつや便器の交換は非常な労力と時間がかかり、特殊なベッドは設備費がかかる上、排便後の肛門部の処理には同様に相当の手間を要する。パウチを利用する方法の交換は比較的簡単であるが、粘着剤を使用するため粘着剤による皮膚障害を起こす可能性があり、もともと皮膚の弱い老人には好ましいものではない。【０００７】  また、下半身麻痺による車椅子の使用者は便臭に悩み人ごみや買い物を避けた生活を強いられ、手術前の患者は必ず浣腸をして排便がないようにと強いられ、突発的な手術に関しては殆どが紙おむつで処理され、婦人の分娩にも必ず浣腸を余儀なくされ、突発的な分娩にはやはり殆どが紙おむつで処理されているため、それなりの対応を必要とする。【０００８】  なお、交通事故や先天的要因による肢体不自由者も多く、これらの人々にとって、排便処理は日常生活上の一大問題であり、また、従来の使い捨ておむつは肛門周囲を含め皮膚に密着する構造になっているため、肛門より排出された徘便は肛門を中心として広範囲な会陰部皮膚に付着し徘便が付着した皮膚は被れやすく、おむつの取り替えや徘便を尻から拭き取る間に便臭が充満することがおむつ使用者はもとより介護、看護人に不快感を与えている。【０００９】  寝たきりの人の排便処理として、便失禁者の場合は殆どが紙おむつ、布おむつで処理され便意はあるが動けない人の場合もおむつ又は差し込み便器、排便のできる特殊なベッドで処理されている。また、臀部にパウチを貼り付けおむつの��わりにパウチで処理する方法が用いられているに過ぎない。【００１０】  排便処理を簡単にできることは老人・患者および介護、看護人の負担軽減に繋がるため、より良い介護、より良い看護をするには排便処理の環境を改善しなければならない。
【発明の開示】
【発明が解決しようとする課題】
【００１１】  本発明は、排便処理上の諸問題を解決するための手段として、排便処理を簡単に行うため、従来のようなバルーンを膨らませるのではなく、薄く伸縮性のある筒状の先端部位の先端開口部をビート加工（先端開口部巻き上げ直径１ｍｍから最大５ｍｍまで）した先端部位の先端開口部をつまんで肛門の外側より押し入れ固定でき、引き抜く時は薄く伸縮性のある筒状の先端部位の先端開口部をビート加工（先端開口部巻き上げ直径１ｍｍから最大５ｍｍまで）に指先を引っ掛け指先を使い簡単に固定および引き出しでき、肛門の外側は大きく伸びる袋状になっている状態と、薄く伸縮性のある筒状と大きく伸びる袋状が別々にできるものを備え持ち、使用者の排便が薄く伸縮性のある筒状の先端部位の先端開口部を通過して末端部位を通り肛門の外側の大きく伸びる袋状の先端部位を通り大きく伸びる袋状の中に収めることができる特殊ゴム袋を提供することにある。
【課題を解決するための手段】
【００１２】  上記の目的を達成するため、本発明の特殊ゴム袋は排便処理を簡単に行うため、従来のようなバルーンを膨らませるのではなく、薄く伸縮性のある筒状の先端部位の先端開口部および末端部位の末端開口部をビート加工（先端開口部および末端開口部巻き上げ直径１ｍｍから最大５ｍｍまで）および薄く伸縮性のある筒状の先端部位の先端開口部および末端部位の末端開口部を空気もしくは水を閉じ込め加工（先端開口部および末端開口部閉じ込め直径１ｍｍから最大５ｍｍまで）形成し、薄く伸縮性のある筒状の末端部位は大きく伸びる袋状になっている状態と、薄く伸縮性のある筒状の末端部位の末端開口部をビート加工（末端開口部巻き上げ直径１ｍｍから最大５ｍｍまで）および薄く伸縮性のある筒状の末端部位の末端開口部を空気もしくは水を閉じ込め加工（末端開口部閉じ込め直径１ｍｍから最大５ｍｍまで）と大きく伸びる袋状にある先端部位の先端開口部をビート加工（先端開口部巻き上げ直径１ｍｍから最大５ｍｍまで）および薄く伸縮性のある袋状の先端部位の先端開口部を空気もしくは水を閉じ込め加工（先端開口部閉じ込め直径１ｍｍから最大５ｍｍまで）が繋がる状態とを備え持ち、指先で薄く伸縮性のある筒状の先端部位の先端開口部をつまんで直腸内に押し入れ、指先を離すことで薄く伸縮性のある筒状の先端部位の先端開口部をビート加工（先端開口部巻き上げ直径１ｍｍから最大５ｍｍまで）および薄く伸縮性のある筒状の先端部位の先端開口部を空気もしくは水を閉じ込め加工（先端開口部閉じ込め直径１ｍｍから最大５ｍｍまで）が拡がり固定でき、引き抜く時は薄く伸縮性のある筒状の先端部位の先端開口部をビート加工（先端開口部巻き上げ直径１ｍｍから最大５ｍｍまで）および薄く伸縮性のある筒状の先端部位の先端開口部を空気もしくは水を閉じ込め加工（先端開口部閉じ込め直径１ｍｍから最大５ｍｍまで）に指先を引っ掛け引き出せ、指先を使い肛門外から押し入れおよび引き出しにより簡単に固定および引き出しでき、薄く伸縮性のある筒状の先端部位の先端開口部下端より長さ３ｃｍから最大５ｃｍ部分までの薄く伸縮性のある筒状の内径を９．９８ｍｍから最大２９．９８ｍｍまでと、筒状の外径１０ｍｍから最大３０ｍｍ部分までや縦ジワおよび横ジワを付けることで水便にも対応でき、使用者の徘便が薄く伸縮性のある筒状の先端部位の先端開口部を通過して大きく伸びる袋状の中に収めることができ、薄く伸縮性のある筒状と大きく伸びる袋状が別々にできる場合は大きく伸びる袋状だけを廃棄できるようになっている。なお、薄く伸縮性のある筒状の先端部位の先端開口部を輪ゴムのように自在に変形できるゴム輪状（先端開口部および末端開口部直径１ｍｍから最大５ｍｍまで）の先端部位の先端開口部と末端部位の末端開口部とゴム輪状（先端開口部および末端開口部直径１ｍｍから最大５ｍｍまで）の先端部位の先端開口部と末端部位の末端開口部を形成した中に、バネやピアノ線の輪や自在に変形できる金属性の輪や鋼鉄線の輪を含んだ先端部位の先端開口部と末端部位の末端開口部および薄く伸縮性のある筒状の先端部位の先端開口部と末端部位の末端開口部を折り返した（先端開口部および末端開口部折り返し直径５ｍｍから最大１���ｍｍまで）中にバネやピアノ線の輪や自在に変形できる金属性の輪や鋼鉄線の輪を包み込んだ先端部位の先端開口部と末端部位の末端開口部を形成した状態を使用し、ゴム輪状（先端開口部直径１ｍｍから最大５ｍｍまで）の先端部位の先端開口部とゴム輪状（先端開口部直径１ｍｍから最大５ｍｍまで）の先端部位の先端開口部を形成したの中に、バネやピアノ線の輪や自在に変形できる金属性の輪や鋼鉄線の輪を含んだ先端部位の先端開口部および折り返した（先端開口部折り返し直径５ｍｍから最大１０ｍｍまで）中にバネやピアノ線の輪や自在に変形できる金属性の輪や鋼鉄線の輪を包み込んだ先端部位の先端開口部を肛門外より押し入れるには指先で肛門外より直腸内に押し入れ、指先を離すとゴム輪状（先端開口部直径１ｍｍから最大５ｍｍまで）の先端部位の先端開口部とゴム輪状（先端開口部直径１ｍｍから最大５ｍｍまで）の先端部位の先端開口部を形成した（先端開口部直径１ｍｍから最大５ｍｍまで）中に、バネやピアノ線の輪や自在に変形できる金属性の輪や鋼鉄線の輪を含んだ先端部位の先端開口部および折り返した（先端開口部折り返し直径５ｍｍから最大１０ｍｍまで）中にバネやピアノ線の輪や自在に変形できる金属性の輪や鋼鉄線の輪を包み込んだ先端部位の先端開口部を肛門外から押し入れ、先端部位の先端開口部が拡がり直腸内に固定でき、ゴム輪状（先端開口部直径１ｍｍから最大５ｍｍまで）の先端部位の先端開口部とゴム輪状（先端開口部直径１ｍｍから最大５ｍｍまで）の先端部位の先端開口部を形成した中に、バネやピアノ線の輪や自在に変形できる金属性の輪や鋼鉄線の輪を含んだ先端部位の先端開口部および折り返した（先端開口部折り返し直径５ｍｍから最大１０ｍｍまで）中にバネやピアノ線の輪や自在に変形できる金属性の輪や鋼鉄線の輪を包み込んだ先端部位の先端開口部に指先を引っ掛け直腸内より肛門を通り引き出せ、肛門の外側の筒状（末端開口部直径１ｍｍから最大５ｍｍまで）の末端部位の末端開口部には徘便を収められる大きく伸びる袋状になったものと、筒状の末端部位の末端開口部がゴム輪状（末端開口部直径１ｍｍから最大５ｍｍまで）の末端部位の末端開口部とゴム輪状（末端開口部直径１ｍｍから最大５ｍｍまで）の末端部位の末端開口部を形成した中に、バネやピアノ線の輪や自在に変形できる金属性の輪や鋼鉄線の輪を含んだ末端部位の末端開口部と折り返した（末端開口部折り返し直径５ｍｍから最大１０ｍｍまで）中にバネやピアノ線の輪や自在に変形できる金属性の輪や鋼鉄線の輪を包み込んだ末端部位の末端開口部を形成し、筒状の末端部位の末端開口部に大きく伸びる袋状の先端部位の先端開口部を接着および粘着により重ねて固定できるようにし、嵌めこみ、捩じ込み、捲き込みによっても固定できるようにし、徘便を収められる大きく伸びる袋状が分離している状態とがあり、ゴム輪状（末端開口部直径１ｍｍから最大５ｍｍまで）の末端部位の末端開口部を形成した中に、バネやピアノ線の輪や自在に変形できる金属性の輪や鋼鉄線の輪を含んだ末端部位の末端開口部と折り返した（末端開口部折り返し直径５ｍｍから最大１０ｍｍまで）中にバネやピアノ線の輪や自在に変形できる金属性の輪や鋼鉄線の輪を包み込ん���末端部位の末端開口部は、常時ふたつ折りになり閉まっていて大きく伸びる袋状を取り外すことができ、排便が筒状の先端部位の先端開口部を通過して筒状の末端部位の末端開口部を通り大きく伸びる袋状の中に徘便を収めることができるようになっている。【００１３】  指先により簡単に固定および引き出しできるように指先で肛門を拡張した後、薄く伸縮性のある筒状の先端部位の先端開口部を指先でつまんで押し入れるようにして直腸内に固定できるようにした。【００１４】  なお、簡単に固定および引き出しできないような時は、薄く伸縮性のある筒状の先端部位の先端開口部に潤滑油を塗布すると効果的に押し入れられるようになる。【００１５】  薄く伸縮性のある筒状の末端部位には大きく伸びる袋状になっている状態と、そうでない状態とがあり、薄く伸縮性のある筒状と大きく伸びる袋状が別々にできる状態とを形成し、薄く伸縮性のある筒状の末端部位の末端開口部と大きく伸びる袋状にある先端部位の先端開口部が分離した状態を繋げられる状態で接着および粘着により繋げて固定でき、嵌めこみ、捩じ込み、捲き込みによっても固定できるようにした。【００１６】  薄く伸縮性のある筒状の先端部位の先端開口部および末端部位の末端開口部をビート加工（先端開口部および末端開口部巻き上げ直径１ｍｍから最大５ｍｍまで）形成し、指先を使い押し入れおよび引き出しにより簡単に固定および引き出しできるようにした。【００１７】  また、薄く伸縮性のある筒状の先端部位の先端開口部および末端部位の末端開口部を空気もしくは水を閉じ込め加工（先端開口部および末端開口部閉じ込め直径１ｍｍから最大５ｍｍまで）形成し、簡単に固定および引き出しできるようにした。【００１８】  薄く伸縮性のある筒状の末端部位の末端開口部をビート加工（末端開口部巻き上げ直径１ｍｍから最大５ｍｍまで）の末端部位の末端開口部を形成して、筒状の末端開口部と大きく伸びる袋状にある先端部位の先端開口部をビート加工（先端開口部巻き上げ直径１ｍｍから最大５ｍｍまで）形成とを繋げられる状態で接着および粘着により繋げて固定でき、嵌めこみ、捩じ込み、捲き込みによっても固定できるようにした。【００１９】  また、薄く伸縮性のある筒状の末端部位の末端開口部を空気および水を閉じ込め加工（末端開口部閉じ込め１ｍｍから最大５ｍｍまで）した末端部位の末端開口部を形成して、筒状の末端開口部と大きく伸びる袋状にある先端部位の先端開口部を空気および水を閉じ込め加工（先端開口部閉じ込め直径１ｍｍから最大５ｍｍまで）形成とを繋げられる状態で接着および粘着により繋げて固定でき、嵌めこみ、捩じ込み、捲き込みによっても固定できるようにした。【００２０】  分離できる状態としては、筒状の末端部位に末端開口部を形成し、大きく伸びる袋状の先端部位には先端開口部を設け、筒状と大きく伸びる袋状を分離でき、大きく伸びる袋状の先端部位の先端開口部と筒状の末端部位の末端開口部を繋げて固定でき、使用者の徘便が筒状の先端部位の先端開口部を通過して筒状の末端部位の末端開口部に繋げて固定した大きく伸びる袋状の中に排出でき、筒状の末端部位の末端開口部から大きく伸びる袋状を外すことができるようにした。【００２１】  ���状の先端開口部下端より長さ３ｃｍから最大５ｃｍ部分までに対して筒状の内径を９．９８ｍｍから最大２９．９８ｍｍまでと、外径１０ｍｍから最大３０ｍｍ部分までや縦ジワ及び横ジワを付けることで水便にも対応できるようにした。【００２２】  本発明の特殊ゴム袋は、薄く伸縮性のある筒状と大きく伸びる袋状が繋がっている状態と、薄く伸縮性のある筒状と大きく伸びる袋状が別々にできるものを使用し、使用者が便意を予感することで大きく伸びる袋状の中に徘便を収めることができるようになっている。【００２３】  なお、人工肛門の人、乳幼児、女性の生理、ペットは大きさおよび長さを変更することにより使用できるようになっている。
【発明の効果】
【００２４】  本発明によれば、特殊ゴム袋を排便処理を簡単に行うため、薄く伸縮性のある筒状の先端部位の先端開口部および末端部位の末端開口部をビート加工（先端開口部および末端開口部巻き上げ直径１ｍｍから最大５ｍｍまで）および空気および水を閉じ込め加工（先端開口部および末端開口部閉じ込め直径１ｍｍから最大５ｍｍまで）した先端部位の先端開口部および末端部位の末端開口部を形成し、指先で筒状の先端部位の先端開口部をつまんで直腸内に押し入れ、指先を離すことで筒状の先端部位の先端開口部が直腸内で拡がり固定でき、簡単に押し入れ易く使用者の排便処理が簡単に行え、使用に要する労力が著しく低減でき、固定も極めて容易で特殊な取扱い技術を必要とせず、しかも肛門および直腸に機能障害を生ずる危険性もなく、粘着パウチの場合のように局部の剃毛の必要もなく、粘着剤による被れの心配もなく、より良い介護、より良い看護、安心、安全に使用できるものを提供するものである。【００２５】  なお、特殊ゴム袋は排便処理を簡単に行うため、薄く伸縮性のある筒状の先端部位の先端開口部と末端部位の末端開口部を輪ゴムのように自在に変形できるゴム輪状（先端開口部および末端開口部巻き上げ直径１ｍｍから最大５ｍｍまで）の先端部位の先端開口部と末端部位の末端開口部とゴム輪状（先端開口部および末端開口部巻き上げ直径１ｍｍから最大５ｍｍまで）の先端部位の先端開口部と末端部位の末端開口部を形成した中にバネやピアノ線の輪や自在に変形できる金属性の輪や鋼鉄線の輪を含んだ先端部位の先端開口部と末端部位の末端開口部および薄く伸縮性のある筒状の先端部位の先端開口部と末端部位の末端開口部を折り返した（先端開口部および末端開口部折り返し直径５ｍｍから最大１０ｍｍまで）中にバネやピアノ線の輪や自在に変形できる金属性の輪や鋼鉄線の輪を包み込んだ先端部位の先端開口部と末端部位の末端開口部を形成し、筒状の先端部位の先端開口部を肛門外より押し入れる時には指先で筒状の先端部位の先端開口部をつまんで肛門外より直腸内に押し入れ、指先を離すと筒状の先端部位の先端開口部が拡がり直腸内に固定でき、引き出す時は筒状の先端部位の先端開口部に指先を引っ掛け直腸内より肛門を通り引き出せる。肛門の外側の筒状の末端部位の末端開口部には徘便を収める大きく伸びる袋状が繋がったものと、筒状の末端部位の末端開口部を輪ゴムのように自在に変形できるゴム輪状（末端開口部巻き上げ直径１ｍｍから最大５ｍｍまで）の末端部位の末端開口部とゴム輪状（末端開口部巻き上げ直径１ｍｍから最大５ｍｍまで）の末端部位の末端開口部を形成したの中に、バネやピアノ線の輪や自在に変形できる金属性の輪や鋼鉄線の輪を含んだ末端部位の末端開口部および筒状の末端部位の末端開口部を折り返した（末端開口部折り返し直径５ｍｍから最大１０ｍｍまで）中にバネやピアノ線の輪や自在に変形できる金属性の輪や鋼鉄線の輪を包み込んだ末端部位の末端開口部は、大きく伸びる袋状が別々になっていて大きく伸びる袋状を取り外すことができるようになっていて、筒状の末端部位の末端開口部に大きく伸びる袋状の先端部位の先端開口部を接着および粘着により繋げて固定でき、嵌めこみ、捩じ込み、捲き込みに��っても固定でき、使用者が便意を予感することで徘便が筒状の先端部位の先端開口部を通過して筒状の末端部位の末端開口部を通り大きく伸びる袋状の中に収めることができる。人工肛門の人、乳幼児、女性の生理、ペットには大きさおよび長さを変更することにより使用できるものを提供するものである。
【発明の実施するための最良の形態】
【００２６】  以下に、本発明の実施の形態を図１、図２、図３にて説明する。図１は、本発明の特殊ゴム袋の全体の構成図である。すなわち、薄く伸縮性のある筒状１と大きく伸びる袋状２からなり、薄く伸縮性のある筒状１の先端部位５の先端開口部６をビート加工（先端開口部６巻き上げ１ｍｍから最大５ｍｍまで）および空気もしくは水を閉じ込め加工（先端開口部６閉じ込め１ｍｍから最大５ｍｍまで）した先端部位５の先端開口部６を形成し、指先で筒状１の先端部位５の先端開口部６をつまんで直腸に押し入れ、指先を離すことで先端部位５の先端開口部６が拡がり固定でき、肛門外から押し入れた筒状１の末端部位７には大きく伸びる袋状２が繋がった状態で一体型３であり、使用者の排便が筒状１の先端部位５の先端開口部６を通過して筒状１の末端部位７の大きく伸びる袋状２に収めることができ、一体型３である。図２では、薄く伸縮性のある筒状１の先端部位５の先端開口部６および末端部位７の末端開口部８をビート加工（先端開口部６および末端開口部８巻き上げ１ｍｍから最大５ｍｍまで）および空気もしくは水を閉じ込め加工（先端開口部６および末端開口部８閉じ込め１ｍｍから最大５ｍｍまで）した先端部位５の先端開口部６および末端部位７の末端開口部８を形成し、薄く伸縮性のある筒状１と大きく伸びる袋状２が分離でき、筒状１の末端部位７に末端開口部８を設け、繋がっている大きく伸びる袋状２の先端部位９の先端開口部１０をビート加工（先端開口部１０巻き上げ１ｍｍから最大５ｍｍまで）および空気もしくは水を閉じ込め加工（先端開口部１０閉じ込め１ｍｍから最大５ｍｍまで）した先端部位９の先端開口部１０を形成し、大きく伸びる袋状２の先端部位９の先端開口部１０と筒状１の末端部位７の末端開口部８を大きく伸びる袋状２を固定できる接続部１１に繋げて固定でき、分離型４であり、使用者の排便が筒状１の先端部位５の先端開口部６を通過して筒状１の末端部位７の末端開口部８に繋げて固定した大きく伸びる袋状２の中に排出でき、筒状１の末端部位７の末端開口部８から大きく伸びる袋状２を外すことができ、分離型４である。図３は、薄く伸縮性のある筒状１の先端開口部下端１２より長さ３ｃｍから最大５ｃｍ部分までに対して筒状１の内径を９．９８ｍｍから最大２９．９８ｍｍまでと、外径１０ｍｍから最大３０ｍｍ部分１３までや縦ジワおよび横ジワ１４を付けることで水便にも対応できる。
【００２７】  なお、薄く伸縮性のある筒状１の先端部位５の先端開口部６を輪ゴムのように自在に変形できるゴム輪状（先端開口部６巻き上げ１ｍｍから最大５ｍｍまで）の先端部位５の先端開口部６とゴム輪状（先端開口部６巻き上げ１ｍｍから最大５ｍｍまで）の先端部位５の先端開口部６の中にバネやピアノ線の輪や自在に変形できる金属性の輪や鋼鉄線の輪を含んだ先端部位５の先端開口部６と薄く伸縮性のある筒状１の先端部位５の先端開口部６を折り返した（先端開口部６折り返し５ｍｍから最大１０ｍｍまで）中にバネやピアノ線の輪や自在に変形できる金属性の輪や鋼鉄線の輪を包み込んだ先端部位５の先端開口部６を形成し、薄く伸縮性のある筒状１のゴム輪状（先端開口部６巻き上げ１ｍｍから最大５ｍｍまで）の先端部位５の先端開口部とゴム輪状（先端開口部６巻き上げ１ｍｍから最大５ｍｍまで）の先端部位５の先端開口部６の中にバネやピアノ線の輪や自在に変形できる金属性の輪や鋼鉄線の輪を含んだ先端部位５の先端開口部６および先端部位５の先端開口部６を折り返した（先端開口部６折り返し５ｍｍから最大１０ｍｍまで）中にバネやピアノ線の輪や自在に変形できる金属性の輪や鋼鉄線の輪を包み込んだ先端部位５の先端開口部６を肛門外より押し入れる時には指先でつまんで肛門外より直腸内に押し入れ、指先を離すと筒状１の先端部位５の先端開口部６のゴム輪状（先端開口部６巻き上げ１ｍｍから最大５ｍｍまで）の先端部位５の先端開口部６とゴム輪状（先端開口部６巻き上げ１ｍｍから最大５ｍｍまで）の先端部位５の先端開口部６の中にバネやピアノ線の輪や自在に変形できる金属性の輪や鋼鉄線の輪を含んだ先端部位５の先端開口部６および先端部位５の先端開口部６を折り返した（先端開口部６折り返し５ｍｍから最大１０ｍｍまで）中にバネやピアノ線の輪や自在に変形できる金属性の輪や鋼鉄線の輪を包み込んだ先端部位５の先端開口部６が拡がり直腸内に固定でき、筒状１の先端部位５の先端開口部６のゴム輪状（先端開口部６巻き上げ１ｍｍから最大５ｍｍまで）の先端部位５の先端開口部６とゴム輪状（先端開口部６巻き上げ１ｍｍから最大５ｍｍまで）の先端部位５の先端開口部６の中にバネやピアノ線の輪や自在に変形できる金属性の輪や鋼鉄線の輪を含んだ先端部位５の先端開口部６および先端部位５の先端開口部６を折り返した（先端開口部６折り返し５ｍｍから最大１０ｍｍまで）中にバネやピアノ線の輪や自在に変形できる金属性の輪や鋼鉄線の輪を包み込んだ先端部位５の先端開口部６に指先を引っ掛け直腸内より肛門を通り引き出せ、肛門の外側の筒状１の末端部位７には徘便を収めることができる大きく伸びる袋状２が繋がっていて、使用者が便意を予感することで徘便が筒状１の先端部位５の先端開口部６を通過して筒状１の末端部位７を通り大きく伸びる袋状２の中に徘便を収めることができる。
【００２８】  また、薄く伸縮性のある筒状１と大きく伸びる袋状２が別々になっていて、薄く伸縮性のある筒状１の先端部位５の先端開口部６と末端部位７の末端開口部８を輪ゴムのように自在に変形できるゴム輪状（先端開口部６および末端開口部８巻き上げ１ｍｍから最大５ｍｍまで）の先端部位５の先端開口部６と末端部位７の末端開口部８とゴム輪状（先端開口部６および末端開口部８巻き上げ１ｍｍから最大５ｍｍまで）の先端部位５の先端開口部６と末端部位７の末端開口部８の中にバネやピアノ線の輪や自在に変形できる金属性の輪や鋼鉄線の輪を含んだ先端部位５の先端開口部６と末端部位７の末端開口部８と先端部位５の先端開口部６と末端部位７の末端開口部８を折り返した（先端開口部６および末端開口部８折り返し５ｍｍから最大１０ｍｍまで）中にバネやピアノ線の輪や自在に変形できる金属性の輪や鋼鉄線の輪を包み込んだ先端部位５の先端開口部６と末端部位７の末端開口部８を形成し、薄く伸縮性のある筒状１の輪ゴムのように自在に変形できるゴム輪状（末端開口部８巻き上げ１ｍｍから最大５ｍｍまで）の末端部位７の末端開口部８は常時閉まっていて、繋げる大きく伸びる袋状２の先端部位９の先端開口部１０を薄く伸縮性のある筒状１の輪ゴムのように自在に変形できるゴム輪状（末端開口部８巻き上げ１ｍｍから最大５ｍｍまで）の末端部位７の末端開口部８に接着および粘着により繋げて固定でき、嵌めこみ、捩じ込み、捲き込みによっても固定でき、ゴム輪状（末端開口部８巻き上げ１ｍｍから最大５ｍｍまで）の末端部位７の末端開口部８の中にバネやピアノ線の輪や自在に変形できる金属性の輪や鋼鉄線の輪を含んだ末端部位７の末端開口部８と折り返した（末端開口部８折り返し５ｍｍから最大１０ｍｍまで）中にバネやピアノ線の輪や自在に変形できる金属性の輪や鋼鉄線の輪を包み込んだ末端部位７の末端開口部８は常時ふたつ折りになり閉まっていて繋げる大きく伸びる袋状２の先端部位９の先端開口部１０を筒状１の末端部位７の末端開口部８に接着および粘着により繋げて固定でき、嵌めこみ、捩じ込み、捲き込みによっても固定でき、徘便が筒状１の先端部位５の先端開口部６を通過して筒状１の末端部位７の末端開口部８を通り繋げる大きく伸びる袋状２に収まり、薄く伸縮性のある筒状１から大きく伸びる袋状２を外すことができる。
【００２９】  簡単に固定および引き出しできるように指先で肛門を拡張した後、薄く伸縮性のある筒状１を押し入れるようにして直腸内に固定できる。
【００３０】  なお、簡単に固定および引き出しできないような時は、薄く伸縮性のある筒状１の先端部位５の先端開口部６に潤滑油を塗布すると効果的に押し入れられる。
【００３１】  分離型４としては、筒状１の末端部位７に末端開口部８を設け、繋がっている大きく伸びる袋状２には先端部位９の先端開口部１０を設け、筒状１と大きく伸びる袋状２を分離でき、薄く伸縮性のある筒状１から大きく伸びる袋状２だけを外すことができる。
【００３２】  大きく伸びる袋状２の先端部位９の先端開口部１０と筒状１の末端部位７に末端開口部８を繋げて固定する場合は、薄く伸縮性のある筒状１と大きく伸びる袋状２を固定できる接続部１１に接着及び粘着剤を塗布して大きく伸びる袋状２の先端部位９の先端開口部１０と筒状１の末端部位７の末端開口部８を接着および粘着により固定でき、嵌めこみ、捩じ込み、捲き込みによっても固定できる。
【００３３】  薄く伸縮性のある筒状１と大きく伸びる袋状２は着脱できる大きく伸びる袋状２の先端部位９の先端開口部１０と筒状１の末端部位７の末端開口部８と薄く伸縮性のある筒状１に大きく伸びる袋状２を固定できる接続部１１により、固定および引き出しが簡単にできる。
【実施例】
【００３４】  特殊ゴム袋は、次のようにして使用される。先ず薄く伸縮性のある筒状１の先端部位５の先端開口部６をビート加工（先端開口部６巻き上げ１ｍｍから最大５ｍｍまで）および空気もしくは水を閉じ込め加工（先端開口部６閉じ込め１ｍｍから最大５ｍｍまで）した先端部位５の先端開口部６を形成した一体型３の筒状１の先端部位５の先端開口部６をつまんで直腸内にゆっくり押し入れ、筒状１の先端部位５の先端開口部６が直腸内に押し入れられた時点で、指先を離すと筒状１の先端部位５の先端開口部６が直腸内で拡がり固定でき、簡単に押し入れ易く使用者の排便行為があり、排便が筒状１の先端部位５の先端開口部６を通過し、筒状１の末端部位７の大きく伸びる袋状２に収まり、廃棄する場合は、そのままの状態で指先をゆっくり押し入れ、指先が直腸内に達し薄く伸縮性のある筒状１の先端部位５の先端開口部６をビート加工（先端開口部６巻き上げ１ｍｍから最大５ｍｍまで）および空気もしくは水を閉じ込め加工（先端開口部６閉じ込め最大直径５ｍｍまで）した先端部位５の先端開口部６に指先を引っ掛けてゆっくり引き出し全部を廃棄する。また、分離型４に関しては、使用者の排便行為があり、排便が筒状１の先端部位５の先端開口部６を通過し、筒状１の末端部位７の末端開口部８の大きく伸びる袋状２に収まり、廃棄する場合は、そのままの状態で大きく伸びる袋状２を筒状１と大きく伸びる袋状２を固定できる接続部１１から分離でき、筒状１の末端部位７の末端開口部８に固定された大きく伸びる袋状２の先端部位９の先端開口部１０から大きく伸びる袋状２だけ外して廃棄できる。なお、薄く伸縮性のある筒状１の先端開口部下端１２より長さ３ｃｍから最大５ｃｍ部分までには、筒状１の内径を９．９８ｍｍから最大２９．９８ｍｍまでと、外径１０ｍｍから最大３０ｍｍ部分１３までや縦ジワおよび横ジワ１４を付けることで水便も逃さない。【００３５】  なお、薄く伸縮性のある筒状１の先端部位５の先端開口部６を輪ゴムのように自在に変形できるゴム輪状（先端開口部６巻き上げ１ｍｍから最大５ｍｍまで）の先端部位５の先端開口部６とゴム輪状（先端開口部６巻き上げ１ｍｍから最大５ｍｍまで）の先端部位５の先端開口部６の中にバネやピアノ線の輪や自在に変形できる金属性の輪や鋼鉄線の輪を含んだ先端部位５の先端開口部６と薄く伸縮性のある筒状１の先端部位５の先端開口部６を折り返した（先端開口部６折り返し５ｍｍから最大１０ｍｍまで）中にバネやピアノ線の輪や自在に変形できる金属性の輪や鋼鉄線の輪を包み込んだ先端部位５の先端開口部６を形成し、薄く伸縮性のある筒状１のゴム輪状（先端開口部６巻き上げ１ｍｍから最大５ｍｍまで）の先端部位５の先端開口部とゴム輪状（先端開口部６巻き上げ１ｍｍから最大５ｍｍまで）の先端部位５の先端開口部６の中にバネやピアノ線の輪や自在に変形できる金属性の輪や鋼鉄線の輪を含んだ先端部位５の先端開口部６および先端部位５の先端開口部６を折り返した（先端開口部６折り返し５ｍｍから最大１０ｍｍまで）中にバネやピアノ線の輪や自在に変形できる金属性の輪や鋼鉄線の輪を包み込んだ先端部位５の先端開口部６を肛門外より押し入れる時には指先でつまんで肛門外より直��内に押し入れ、指先を離すと筒状１の先端部位５の先端開口部６のゴム輪状（先端開口部６巻き上げ１ｍｍから最大５ｍｍまで）の先端部位５の先端開口部６とゴム輪状（先端開口部６巻き上げ１ｍｍから最大５ｍｍまで）の先端部位５の先端開口部６の中にバネやピアノ線の輪や自在に変形できる金属性の輪や鋼鉄線の輪を含んだ先端部位５の先端開口部６および先端部位５の先端開口部６を折り返した（先端開口部６折り返し５ｍｍから最大１０ｍｍまで）中にバネやピアノ線の輪や自在に変形できる金属性の輪や鋼鉄線の輪を包み込んだ先端部位５の先端開口部６が拡がり直腸内に固定でき、筒状１の先端部位５の先端開口部６のゴム輪状（先端開口部６巻き上げ１ｍｍから最大５ｍｍまで）の先端部位５の先端開口部６とゴム輪状（先端開口部６巻き上げ１ｍｍから最大５ｍｍまで）の先端部位５の先端開口部６の中にバネやピアノ線の輪や自在に変形できる金属性の輪や鋼鉄線の輪を含んだ先端部位５の先端開口部６および先端部位５の先端開口部６を折り返した（先端開口部６折り返し５ｍｍから最大１０ｍｍまで）中にバネやピアノ線の輪や自在に変形できる金属性の輪や鋼鉄線の輪を包み込んだ先端部位５の先端開口部６に指先を引っ掛け直腸内より肛門を通り引き出せ、肛門の外側の筒状１の末端部位７には徘便を収めることができる大きく伸びる袋状２が繋がっていて、使用者が便意を予感することで徘便が筒状１の先端部位５の先端開口部６を通過して筒状１の末端部位７を通り大きく伸びる袋状２の中に徘便を収め廃棄することができる。【００３６】  また、薄く伸縮性のある筒状１と大きく伸びる袋状２が別々になっていて、薄く伸縮性のある筒状１の先端部位５の先端開口部６と末端部位７の末端開口部８を輪ゴムのように自在に変形できるゴム輪状（先端開口部６および末端開口部８巻き上げ１ｍｍから最大５ｍｍまで）の先端部位５の先端開口部６と末端部位７の末端開口部８とゴム輪状（先端開口部６および末端開口部８巻き上げ１ｍｍから最大５ｍｍまで）の先端部位５の先端開口部６と末端部位７の末端開口部８の中にバネやピアノ線の輪や自在に変形できる金属性の輪や鋼鉄線の輪を含んだ先端部位５の先端開口部６と末端部位７の末端開口部８と先端部位５の先端開口部６と末端部位７の末端開口部８を折り返した（先端開口部６および末端開口部８折り返し５ｍｍから最大１０ｍｍまで）中にバネやピアノ線の輪や自在に変形できる金属性の輪や鋼鉄線の輪を包み込んだ先端部位５の先端開口部６と末端部位７の末端開口部８を形成し、薄く伸縮性のある筒状１の輪ゴムのように自在に変形できるゴム輪状（末端開口部８巻き上げ１ｍｍから最大５ｍｍまで）の末端部位７の末端開口部８は常時閉まっていて、繋げる大きく伸びる袋状２の先端部位９の先端開口部１０を薄く伸縮性のある筒状１の輪ゴムのように自在に変形できるゴム輪状（末端開口部８巻き上げ１ｍｍから最大５ｍｍまで）の末端部位７の末端開口部８に接着および粘着により繋げて固定でき、嵌めこみ、捩じ込み、捲き込みによっても固定でき、ゴム輪状（末端開口部８巻き上げ１ｍｍから最大５ｍｍまで）の末端部位７の末端開口部８の中にバネやピアノ線の輪や自在に変形できる金属性の輪や鋼鉄線の輪を含んだ末端部位７の末端開口部８と折り返した（末端開口部８折り返し５ｍｍから最大１０ｍｍまで）中にバネやピアノ線の輪や自在に変形できる金属性の輪や鋼鉄線の輪を包み込んだ末端部位７の末端開口部８も常時ふたつ折りになり閉まっていて繋げる大きく伸びる袋状２の先端部位９の先端開口部１０を筒状１の末端部位７の末端開口部８に接着および粘着により繋げて固定でき、嵌めこみ、捩じ込み、捲き込みによっても固定でき、徘便が筒状１の先端部位５の先端開口部６を通過して筒状１の末端部位７の末端開口部８を通り大きく伸びる袋状２に収まり、薄く伸縮性のある筒状１から大きく伸びる袋状２を外すことができる。なお、人工肛門の人、乳幼児、女性の生理、ペットには大きさおよび長さを変更することにより使用できる。【００３７】  薄く伸縮性のある筒状１に大きく伸びる袋状２を固定できる接続部１１を備えていない状態は、一体型３を形成する。【００３８】  薄く伸縮性のある筒状１の先端部位５の先端開口部６および末端部位７の末端開口部８をビート加工（先端開口部６および末端開口部８巻き上げ１ｍｍから最大５ｍｍまで）および空気もしくは水を閉じ込め加工（先端開口部６および末端開口部８閉じ込め１ｍｍから最大５ｍｍまで）した先端部位５の先端開口部６および末端部位７の末端開口部８の外径は３５ｍｍから最大５０ｍｍまでで、内径は２５ｍｍから最大４０ｍｍまでである。【００３９】  薄く伸縮性のある筒状１の先端開口部下端１２より長さ３ｃｍから最大５ｃｍ部分までの内径を９．９８ｍｍから最大２９．９８ｍｍまでと、外径１０ｍｍから最大３０ｍｍ部分１３までである。【００４０】  薄く伸縮性のある筒状１と大きく伸びる袋状２は、着脱できる筒状１の末端部位７の末端開口部８と大きく伸びる袋状２の先端部位９の先端開口部１０を備え、分離型４を形成する。【００４１】  薄く伸縮性のある筒状１に用いる材質としては、アレルギー性体質を除けばラテックスが通常で、ニトリルゴム、シリコンゴムでも仕様が望める。【００４２】  薄く伸縮性のある筒状１に繋がる大きく伸びる袋状２に用いる材質としては、アレルギー性体質を除けばラテックスが通常で、ニトリルゴム、シリコンゴムでも仕様が望め、分離型４に用いる材質としては体外なので薄く伸縮性のある筒状１の末端部位７の末端開口部８から繋がる大きく伸びる袋状２は、シリコン、シリコンゴム、フッ素、紙、和紙や、ポリウレタン等のゴム弾性のあるエラストマー、それらは単独でも複合でもよいが薄く伸縮性のある筒状１と大きく伸びる袋状２に繋がる部分はプラスチック材使用でも良い。【００４３】  薄く伸縮性のある筒状１に繋がる大きく伸びる袋状２の肉厚は０．０１ｍｍから０．１ｍｍまでで、分離型４の大きく伸びる袋状２は大きさおよび肉厚の制限に拘らない。【００４４】  薄く伸縮性のある筒状１は、肉厚が０．０１ｍｍから０．１ｍｍ以下で、直腸内での先端開口部５の拡がり状態は、外径は３５ｍｍから５０ｍｍ、内径は２５ｍｍから４０ｍｍで、長さは５０ｍｍから７０ｍｍである。【００４５】  大きく伸びる袋状２の容積は、０．５ｋｇから３ｋｇ前後まで収納できる。
【図面の簡単な説明】
【００４６】
【図１】本発明の特殊ゴム袋の一体型構成図である。
【図２】本発明の特殊ゴム袋の分離型構成図である。
【図３】本発明の特殊ゴム袋の水便にも対応できるようにした構成図である。
【符号の説明】
１  薄く伸縮性のある筒状
２  大きく伸びる袋状
３  一体型
４  分離型
５  薄く伸縮性のある筒状の先端部位
６  薄く伸縮性のある筒状の先端部位の先端開口部
７  薄く伸縮性のある筒状の末端部位
８  薄く伸縮性のある筒状の末端部位の末端開口部
９  大きく伸びる袋の先端部位
１０  大きく伸びる袋の先端部位の先端開口部
１１  薄く伸縮性のある筒状と大きく伸びる袋状を固定できる接続部
１２  薄く伸縮性のある筒状の先端部位の先端開口部下端
１３  薄く伸縮性のある筒状の先端部位の先端開口部下端より長さ３ｃｍから最大５ｃｍ部分までと筒状の内径２９．９８ｍｍまでで、外径最大３０ｍｍまでの部分
１４  薄く伸縮性のある筒状の先端部位の先端開口部下端より長さ３ｃｍから最大５ｃｍ部分までの筒状の縦ジワおよび横ジワ部分
【図１】
2009061234.tif 000003
【図２】
2009061234.tif 000004
【図３】
2009061234.tif 000005